(57)【要約】【課題】  本発明は、患者の審美的ポイントと基準点ポイントとを満たす歯科補綴物の製作において、歯科用咬合ナビ装置と、咬合器と、マウント固定台と、上弓支持台とで構成された補綴物製作装置を得るにある。【解決手段】  歯科医或いは主に技工士による補綴物の製作において、患者を計測採得した歯科用咬合ナビ装置を咬合器の下弓先端部に固定するマウント固定台を設けた。該マウント固定台は歯科用咬合ナビ装置に設けた固定部の固定用螺子孔と螺合して保持固定する保持棒を設けた。該固定部は、正中線を支持する正中線支持用固定孔と、正中線支持部用固定螺子と、垂直方向に螺合する固定用螺子孔と、水平方向に螺合した固定用螺子孔を設けた。咬合器の下弓後方部に固定して設けた上弓支持台は咬合器の上弓と歯科用咬合ナビ装置のバイトフォークとを支持した構成の補綴物製作装置である。【選択図】  図１
2006212364.tif 000002
【特許請求の範囲】
【請求項１】
補綴物の製作において、患者を計測採得した歯科用咬合ナビ装置（１００）を咬合器の下弓先端部（９８）に固定して設けたマウント固定台（３００）と、該マウント固定台（３００）は、歯科用咬合ナビ装置（１００）に設けた固定部（４０１）の固定用螺子孔（４０４）と螺合して保持固定して設けた保持棒（３２０）と、該固定部（４０１）は、正中線を支持する正中線支持用固定孔（４０２）と、正中線支持部用固定螺子（４０５）と、垂直方向に螺合する固定用螺子孔（４０３）と、水平方向に保持棒（３２０）と螺合した固定用螺子孔（４０４）とを設け、咬合器の下弓後方部（９６）に固定して設けた上弓支持台（２００）と、該上弓支持台（２００）は、咬合器の上弓（９１）と、歯科用咬合ナビ装置のバイトフォーク（７２０）とを支持して設け、上弓（９１）を支持した上弓支持棒（２９９）と、上弓支持アーム（２９７）と、バイトフォーク（７２０）を支持したバイトフォークサポート（２７２）と、バイトフォークサポートアーム（２７３）とを設けた構成であることを特徴とする補綴物製作装置。
【請求項２】
上記記載の補綴物製作装置であって、前記記載の補綴物製作装置を構成している歯科用咬合ナビ装置（１００）は、熟練を必要とすることなく小型軽量で短時間に患者顔面の審美的ポイントと基準ポイントの計測採得をする歯科用咬合ナビ装置（１００）の各計測用部品は、患者の口腔内で噛んで咬合平面歯型を計測採得するバイトフォーク（７２０）と、カンペル平面を計測採得する左右の耳まで伸ばすカンペル設定ワイヤ（５１）と、眼窩点の一点を計測採得する眼窩点指示ピン（６１０）等の各計測用部品を配置して設けた支持台（８００）と、該支持台（８００）の内部に設けた計測採得のとき移動する移動台（４００）と、該移動台（４００）に固着して設けた固定部（４０１）と、該固定部（４０１）は設けた正中線支持部用固定孔（４０２）と、固定用螺合孔（４０３）と、固定用螺合孔（４０４）と、正中線支持部用螺子（４０５）と、支持台（８００）内部の移動台（４００）の移動した位置を検知する支持台（８００）に設けた目盛８４と、移動台４００に設けた目盛８５と、計測採得が完了した移動台（４００）の位置を両側から保持固定して設けた螺子８２０と、正中線を計測採得する正中線指示ロッド（３０）と、正中線指示ロッド（３０）の上方に設けたフランクフルト平面を計測採得するフランクフルト指示ロッド（４２０）と、咬合平面を計測採得する咬合平面指示ロッド（４３）等の各計測用部品を固定部（４０１）に配置して設け、該咬合平面指示ロッド（４３）を支える咬合平面保持部（４３０）と、該咬合平面保持部（４３０）を支持する正中線支持部（６２４）は、正中線支持柱（３１）を挿入して支持して螺子で固定して設け、該正中線支持柱（３１）は正中線支持部用固定孔（４０２）と、正中線支持部用螺子（４０５）で固定支持した構成であることを特徴とする請求項１記載の歯科用咬合ナビ装置。
【請求項３】
補綴物製作装置であって、前記記載の補綴物製作装置を構成しているマウント固定台（３００）は、咬合器の下弓先端部（９８）に固定して歯科用咬合ナビ装置（１００）を保持固定して設けた保持棒（３２０）と、該保持棒（３２０）は螺合して固定する歯科用咬合ナビ装置（１００）の固定用螺合孔（４０４）と、該マウント固定台（３００）は、咬合器の下弓先端部（９８）を挟んで固定して設けた下弓先端部固定台（３１０）と、螺子（３０９）と、該下弓先端部固定台（３１０）に設けた移動孔３１９と、移動孔（３１９）を通して固定して設けた支持棒（３１２）と、螺子（３１８）と、支持棒（３１２）と、保持棒（３２０）を設けた支持棒保持部（３１７）と、保持棒保持部（３１５）と、螺子（３１６）で螺合して固定して、支持棒（３１２）を移動するときは、移動孔（３１９）に螺合固定した支持棒（３１２）の螺子（３１８）を緩めて位置を調整して、保持棒（３２０）の移動は、支持棒保持部（３１７）と、保持棒保持部（３１５）の螺子（８１６）緩めて調整する構成であることを特徴とする請求項１と２記載のマウント固定台。
【請求項４】
補綴物製作装置であって、補綴物製作装置を構成している上弓支持台（２００）は、咬合器の下弓後方部（９６）に固定して、咬合器に固定したマウント固定台（３００）に固定した歯科用咬合ナビ装置（１００）のバイトフォーク（７２０）と、咬合器の上弓（９１）とを支持して、該上弓支持台（２００）は、咬合器の下弓後方部（９６）を挟んで固定して設けた上弓支持台固定部（２０１）と、螺子（２０２）と、該上弓支持台固定部（２０１）に設けた固定部支持柱（２０３）は咬合器の下弓後方部（９６）より外側に配置して、該固定部支持柱（２０３）は、歯科用咬合ナビ装置（１００）のバイトフォーク（７２０）を支えるバイトフォークサポート（２７２）と、咬合器の上弓（９１）を支える上弓支持棒（２９９）を設けて、バイトフォークサポート（２７２）は、左を押すと左に、右を押すと右に傾斜する状態に中心を保持され、バイトフォークサポート（２７２）の中心を保持したバイトフォークサポートアーム（２７３）は固定部支持柱（２０３）に設けた支持孔（２０５）を通して螺子（２０４）で固定して、上弓支持アーム（２９７）を上下移動ができるように設けた上弓支持棒（２９９）は螺子（２９８）で固定して設け、上弓支持アーム（２９７）に前後移動ができるよう設けた上弓支持アーム孔（２９５）と、  上弓支持アーム（２９７）は上弓支持アーム孔（２９５）を通して設けた螺子（２９６）で固定部支持柱（２０３）に固定する構成であることを特徴とする請求項１〜３記載の上弓支持台。
【請求項５】
補綴物製作装置であって、前記記載の補綴物製作装置を構成しているマウント固定台（３００）は、咬合器の下弓先端部（９８）に固定して設けたレール台（３０８）と、該レール台（３０８）を使用して移動できる設けた下弓先端部固定台（３１０）と、該下弓先端部固定台（３１０）は側面に設けた螺子孔（３０６）と螺子（３０７）で固定する構成であることを特徴とする請求項１〜３記載のマウント固定台。
【請求項６】
補綴物製作装置であって、前記記載の補綴物製作装置を構成しているマウント固定台（３００）は、下弓先端部固定台（３１０）の上部に保持棒（３２０）を保持して設けた円筒状の保持棒保持部（３２１）と、該保持棒保持部（３２１）は、円筒に切れ目を入れた円筒状の筒に保持棒（３２０）を保持する球体を入れ球体に固着して設けた円柱（３２２）と、該円柱（３２２）は、保持棒（３２０）を保持する保持用孔を設けて、保持用孔を通した保持棒（３２０）を固定して設けた螺子（３２４）と、球体を入れた円筒を設けたハンドル（３２３）で絞ることで円柱（３２２）を固定する構成であることを特徴とする請求項１〜３と５記載のマウント固定台。
【請求項７】
補綴物製作装置であって、前記記載の補綴物製作装置を構成しているマウント固定台（３００）は、下弓先端部固定台（３１０）の上部に歯科用咬合ナビ装置（１００）の垂直方向に螺合する固定用螺子孔（４０３）と螺合して設けた保持棒（３２０）と、該保持棒（３２０）は、箱に球体を入れ球体に保持棒（３２０）を固着して設けて、保持棒（３２０）の位置は設けた螺子（３１１）で固定する構成であることを特徴とする請求項１〜３と５〜６記載のマウント固定台。
【請求項８】
補綴物製作装置であって、前記記載の補綴物製作装置を構成しているマウント固定台（３００）は、歯科用咬合ナビ装置（１００）を咬合器上弓のインサイザルピン孔を用いて上方から歯科用咬合ナビ装置（１００）に設けた固定部（８４１）の両側を吊り上げ保持する保持部（３２８）と、該保持部（３２８）の両側に設けた保持用螺子孔（３２９）と、保持部（３２８）は設けた支持棒（３２５）で支持して、支持棒（３２５）は、左右に傾けられるように設けた保持固定部（３２６）と、傾きの位置を設けた保持部固定螺子（３２７）で固定する構成であることを特徴とする請求項１〜３記載のマウント固定台。
【発明の詳細な説明】
【技術分野】
【０００１】  本発明は、歯科医が患者の歯治療のため義歯或いは全部床義歯（以下：補綴物と称する）を提供するにはフェイスボウを使用して患者の頭蓋と顔面と歯の咬合平面等を計測採得する。補綴物を製作する歯科技工士（以下：技工士と称する）は、該計測採得したフェイスボウと補綴物製作指示書とを歯科医より渡される。渡されたフェイスボウを咬合器へ慎重に正確を期して固定する。フェイスボウを使いこなすには歯科医と技工士は熟練を要するため歯科医と技工士で基準点の取り方に違いが生じた。基準点が異なる状態で製作された補綴物は患者に適合しない。補綴物の製作において、咬合器と、歯科用咬合ナビ装置と、マウント固定台と、上弓支持台とで構成した補綴物製作装置に関する。
【背景技術】
【０００２】  従来からフェイスボウの取り扱いは歯科医・技工士共に熟練を要し取り扱いを慎重に行なっているが基準が一致しないので大変やっかいとされ歯科医・技工士の両者から敬遠されている。歯科医による患者の頭蓋と顔面と歯の咬合平面等を計測採得したフェイスボウを使用して、技工士は慎重に正確を期して咬合器へ固定して基準として懸命に製作した補綴物であっても、歯科医が出来上がった補綴物を患者に取付けるが残念ながら、補綴物がその場で患者に合致することは少なく、患者は長い期間歯科医による補綴物を適合させるため削りと補足治療が行われる。患者は長期間の咬合の悪さと、痛みとを我慢しなくてはならない。長期間の苦痛は歯科医の評価を落とし、技工士は懸命に製作するも、技工士の自己負担で再度製作せねばならないことも発生する。患者・歯科医・技工士ともに困惑している。【０００３】  また、歯科医と技工士ともにフェイスボウを使用しない独自の方法で補綴物の製作が行われるも、歯科医と技工士が独自に基準点を設けた状態において製作され提供されるので患者に最適な補綴物を提供することは困難である。【０００４】  また、歯科医による従来方式のフェイスボウを使用する計測採得のやり方では患者の頭蓋と顔面を取巻く状態でフェイスボウを操作することになるので計測採得において恐怖或いは不快感を与えている。フェイスボウの取り扱いが不慣れなために生じる基準点の相違による補綴物製作では、正確に計測採得されたフェイスボウを基準として咬合器へ固定して補綴物を懸命に製作しても補綴物は不出来となる。計測採得における患者の恐怖或いは不快感が残る。基準点の相違した補綴物製作では、患者に最適な補綴物を提供できない。
歯科医が患者の頭蓋と顔面と歯の咬合平面等を立体的に審美的ポイントと基準ポイントの計測採得のとき恐怖或いは不快感を与えることなく、歯科医の計測採得と、技工士の補綴物の製作ともに熟練を要さないで基準点が同一になる歯科用咬合ナビ装置を本発明者は先に出願した（特許文献６と７）。現状では該歯科用咬合ナビ装置は実用上十分である。【０００５】  図２９は、歯科用咬合ナビ装置を咬合器に固定した例を示す。
歯科用咬合ナビ装置１００に固定台１０を使用して咬合器９０に間接的に固定した（特許文献７）例を示す。
歯科用咬合ナビ装置１００は、患者を計測採得する歯科医師の計測操作を螺子一つでも減少させ簡略化できるように設けたので支持台８００の上部に計測用部品をすべて搭載した。
患者が噛んで咬合平面の歯型を取得する馬蹄形のバイトフォーク７２０は、螺子一つで着脱自在とした。カンペル設定ワイヤ５１は、固定軸５４０の孔に通して固定用キャップ５４１を固定した。
該固定軸５４０は固定部８４０に垂直に支持され、該固定部８４０は左右から支持台８００に螺子で固着して設けた。正中線を超高精度に簡単に計測操作できるように正中線支持ロッド３０を支持台８００に設けた。正中線支持ロッド３０の上方にはフランクフルト指示ロッド４２０を設けた。正中線支持ロッド３０は設けた咬合平面保持部４３０に固着保持される。該咬合平面保持部４３０は設けた咬合平面指示ロッド４３を貫通させ螺子４７で固定する。咬合平面保持部４３０は設けた垂直支持部６２４に支持される。該垂直支持部６２４は咬合平面保持部４３０が前後に傾き固定できるように設けた。垂直支持部６２４は設けた垂直支持棒３１を垂直方向に挿入して螺子３２で固定した。該垂直支持棒３１の先端は左右に傾斜できる形状に設け移動台４００に挟み保持され螺子３４で固定される。支持台８００内部の台形に沿って移動できる断面を台形に設けた移動台４００は、支持台８００の内部を密着して滑るように移動する。支持台８００に設けた計測用部品の眼窩点指示ピン６１０は、計測以外の補綴物を製作するとき咬合器の上弓を支持する。眼窩点指示ピン６１０は設けた螺子６５１で固定する。また、支持台８００は固定台１０の保持棒１８と螺合できる保持用螺子孔１４０を設けた。【０００６】  固定台１０は金属板からなる装置台１９の上に磁力で吸着して固定する。該固定した固定台１０を歯科用咬合ナビ装置１００の保持用螺子孔１４０と固定台１０の保持棒１８と螺合させ咬合器の最適な位置に歯科用咬合ナビ装置１００を保持棒１８で保持して固定する。【０００７】  図２は、標準的な咬合器を示す。
咬合器は、補綴物を製作するとき歯科用咬合ナビ装置１００を固定して使用される。患者の上顎としての上弓９１と、下顎として下弓９２が設けられている。上弓先端部９７と、下弓先端部９８の間に垂直の棒インサイザルピン９９を設け上弓９１が下方へ落ちないように保持される。上弓９１と下弓９２にはマウンテンリング９４を上弓側と下弓側に設けた。補綴物を製作するときは該マウンテンリング９４の上弓側と下弓側の間に患者の頭蓋と顔面と歯の噛み合せ咬合平面等を立体的に計測採得した歯科用咬合ナビ装置のバイトフォーク７２０を咬合器の最適な位置に置きマンウント作業を開始する。【０００８】  また、補綴物を製作する技工士は、歯科医より渡された計測採得された歯科用咬合ナビ装置１００を咬合器に慎重に正確に固定する。図２９で示すように歯科用咬合ナビ装置１００を咬合器に固定するには保持用螺子孔１４０を用いる。保持用螺子孔１４０を用いて歯科用咬合ナビ装置１００を保持棒１８で保持して咬合器に間接的に固定する。間接的に固定するので少しの接触で位置がずれる。位置のずれは基準点のずれとなるため避ける必要がある。最適な補綴物を製作するには、位置のずれを皆無にするために、患者の頭蓋や顔面、歯の咬合平面等を立体的な審美的ポイントと基準ポイントを計測採得できる歯科用咬合ナビ装置であって、該歯科用咬合ナビ装置を咬合器に直接固定できること、咬合器に固定した歯科用咬合ナビ装置の位置微調整が容易にできること、歯科用咬合ナビ装置を咬合器に固定したとき、歯科用咬合ナビ装置のバイトフォークと咬合器の上弓とを支えることが必要であった。【０００９】
【特許文献１】特開平１０−２９５７０７（審美的咬合平面の決定装置）
【特許文献２】実公平７−７９３５（歯科用フェイスボウ）
【特許文献３】特公平３−６４１３５（歯科用フェイスボウの咬合器調節のための矢状顎路角の測定装置）
【特許文献４】特開２００２−１４３１８６（人工歯排列軸正中線位置決定器具）
【特許文献５】特開２００２−２６３１２０（義歯製作装置）
【特許文献６】特願２００３−１９７４５４（歯科用咬合ナビ装置）
【特許文献７】特願２００４−０９８４１４（歯科用咬合ナビ装置）
【発明の開示】
【発明が解決しようとする課題】
【００１０】  上記記載のように、補綴物の製作において、患者の計測採得した歯科用咬合ナビ装置を咬合器に正確に固定できるように設けたマウント固定台と、該マウウント固定台と固定できる固定部を設けた歯科用咬合ナビ装置と、該歯科用咬合ナビ装置を咬合器に受け止め固定したマウント固定台は、歯科用咬合ナビ装置の位置の微調整ができること、咬合器に固定した歯科用咬合ナビ装置のバイトフォークと、咬合器の上弓とを支持する上弓支持台とで構成した補綴物製作装置を提供することを目的としている。【００１１】  本発明の前記ならびにその他の目的と新規な特徴は次の説明を添付図面と照らし合わせて読むと、より完全に明らかになるであろう。ただし、図面はもっぱら解説のためのものであって、本発明の技術的範囲を限定するものではない。
【課題を解決するための手段】
【００１２】  上記目的を達成するために、本発明は、補綴物の製作において、患者を計測採得した歯科用咬合ナビ装置１００を咬合器の下弓先端部９８に固定するマウント固定台３００を設けた。該マウント固定台３００は、歯科用咬合ナビ装置１００に設けた固定部４０１と螺合して保持固定する保持棒３２０を設けた。該固定部４０１は、正中線を支持する正中線支持用固定孔４０２と、正中線支持部用固定螺子４０５と、垂直方向に螺合する固定用螺子孔４０３と、水平方向に保持棒３２０と螺合した固定用螺子孔４０４を設けた。咬合器の下弓後方部９６に固定して設けた上弓支持台２００は、咬合器の上弓９１と歯科用咬合ナビ装置のバイトフォーク７２０を支持して設けた。該上弓支持台２００は設けた上弓９１を支持する上弓支持棒２９９と、上弓支持アーム２９７と、バイトフォーク７２０を支持するバイトフォークサポート２７２と、バイトフォークサポートアーム２７３とで構成している補綴物製作装置である。【００１３】  また、請求項２記載の発明では、請求項１記載の補綴物製作装置であって、前記記載の補綴物製作装置を構成している歯科用咬合ナビ装置１００は、熟練を必要としない小型軽量で短時間に患者顔面の審美的ポイントと基準ポイントの計測採得をする歯科用咬合ナビ装置１００である。患者を計測採得する各計測用部品は、患者の口腔内で噛んで咬合平面歯型を計測採得するバイトフォーク７２０と、カンペル（Ｃａｍｐｅｒ）平面を計測採得する左右の耳まで伸ばすカンペル設定ワイヤ５１と、眼窩点の一点を計測採得する眼窩点指示ピン６１０等の各計測用部品を設けた支持台８００に配置した。支持台８００の内部は、正中線を計測採得のとき移動できる移動台４００を設けた。該移動台４００に固定部４０１を固着して設けた。該固定部４０１は、正中線支持部用固定孔４０２と、垂直方向に螺合する固定用螺子孔４０３と、水平方向に螺合する固定用螺子孔４０４と、正中線支持部用螺子４０５を設けた。支持台８００内部の移動台４００が移動した位置を検知する支持台８００に目盛８４と、移動台４００に目盛８５を設けた。計測採得が完了した移動台４００の位置を保持固定する螺子８２０を両側に設けた。正中線を計測採得する正中線指示ロッド（ｒｏｄ）３０と、正中線指示ロッド３０の上方に設けたフランクフルト平面を計測採得するフランクフルト指示ロッド４２０と、咬合平面を計測採得する咬合平面指示ロッド４３等を設けた各計測用部品を固定部４０１に配置した。該咬合平面指示ロッド４３を支える咬合平面保持部４３０と、該咬合平面保持部４３０を支持する正中線支持部６２４は、正中線支持柱３１を挿入して支持して螺子で固定して設けた。該正中線支持柱３１は正中線支持部用固定孔４０２と、正中線支持部用螺子４０５で固定支持した構成の歯科用咬合ナビ装置である。【００１４】  また、請求項３記載の発明では、請求項１と２記載の補綴物製作装置であって、前記記載の補綴物製作装置を構成しているマウント固定台３００は、咬合器の下弓先端部９８に固定して歯科用咬合ナビ装置１００を保持棒３２０で支持固定する。該マウント固定台３００は、咬合器の下弓先端部９８に固定して設けた下弓先端部固定台３１０と、螺子３０９で挟んで固定した。該下弓先端部固定台３１０をくり抜き移動孔３１９を設けた。設けた支持棒３１２と螺子３１８は、移動孔３１９を通して垂直方向に固定した。歯科用咬合ナビ装置１００の固定用螺合孔４０４と螺合固定する保持棒３２０を設けた。垂直方向を向いた支持棒３１２と、水平方向を向いた保持棒３２０を設けた支持棒保持部３１７と保持棒保持部３１５と螺子３１６で螺合固定した。移動孔３１９に固定した支持棒３１２を左右に移動するときは、支持棒３１２に螺合した螺子３１８を緩めて位置を調整する。保持棒３２０の移動は、支持棒保持部３１７と保持棒保持部３１５を固定している螺子３１６緩めて調整するように設けた構成のマウント固定台である。【００１５】  また、請求項４記載の発明では、請求項１〜３記載の補綴物製作装置であって、補綴物製作装置を構成している上弓支持台２００は、咬合器の下弓後方部９６に固定する。咬合器の下弓先端部９８に固定したマウント固定台３００で保持固定した歯科用咬合ナビ装置１００のバイトフォーク７２０と、咬合器の上弓９１とを支持する。該上弓支持台２００は設けた上弓支持台固定部２０１と螺子２０２とで咬合器の下弓後方部９６を挟んで螺子２０２で固定する。該上弓支持台固定部２０１に設けた固定部支持柱２０３は咬合器の後方部９６より外側に配置した。該固定部支持柱２０３は、歯科用咬合ナビ装置１００のバイトフォーク７２０を支えるバイトフォークサポート２７２と、咬合器の上弓９１を支える上弓支持棒２９９を設けた。バイトフォークサポート２７２は、左に傾斜させると左に、右に傾斜させると右に傾斜する状態で中心を保持され、バイトフォークサポート２７２の中心を保持したバイトフォークサポートアーム２７３は固定部支持柱２０３をくり抜いた支持孔２０５を通して螺子２０４で固定して設けた。上弓支持アーム２９７の先端で上下移動する上弓支持棒２９９は螺子２９８で固定して設けた。上弓支持アーム２９７の後方部をくり抜いて位置移動を可能にした上弓支持アーム孔２９５を設けた。上弓支持アーム２９７は上弓支持アーム孔２９５の螺子２９６で固定部支持柱２０３に固定して設けた構成の上弓支持台である。【００１６】  また、請求項５記載の発明では、請求項１〜３記載の補綴物製作装置であって、前記記載の補綴物製作装置を構成しているマウント固定台３００は、咬合器の下弓先端部（９８）に設けたレール台３０８を固定した。該レール台３０８を使用して移動できる下弓先端部固定台３１０を設けた。該下弓先端部固定台３１０は側面に設けた螺子孔３０６と螺子３０７で固定する構成のマウント固定台である。【００１７】  また、請求項６記載の発明では、請求項１〜３と５記載の補綴物製作装置であって、前記記載の補綴物製作装置を構成しているマウント固定台３００は、下弓先端部固定台３１０の上部に保持棒３２０を保持する円筒状の保持棒保持部３２１を設けた。該保持棒保持部３２１は、円筒に切れ目を入れた円筒状の筒に保持棒３２０を保持する球体を入れ球体に円柱３２２を固着して設けた。該円柱３２２は、保持棒３２０を保持する保持用孔を設けて、保持用孔を通した保持棒３２０を設けた螺子３２４で固定する。球体を入れた円筒を設けたハンドル３２３で絞ることで円柱３２２を固定する構成のマウント固定台である。【００１８】  また、請求項７記載の発明では、請求項１〜３と５〜６記載の補綴物製作装置であって、前記記載の補綴物製作装置を構成しているマウント固定台３００は、下弓先端部固定台３１０の上部に歯科用咬合ナビ装置１００の垂直方向に螺合する固定用螺子孔４０３と螺合する保持棒３２０を設けた。該保持棒３２０は、箱に球体を入れ球体に保持棒３２０を固着して設けた。保持棒３２０の位置は設けた螺子３１１で固定する構成のマウント固定台である。【００１９】  また、請求項８記載の発明では、請求項１〜３記載の補綴物製作装置であって、前記記載の補綴物製作装置を構成しているマウント固定台３００は、歯科用咬合ナビ装置１００を咬合器上弓のインサイザルピン孔を用いて上方から歯科用咬合ナビ装置１００に設けた固定部８４１の両側を吊り上げ保持する保持部３２８と、該保持部３２８の両側に保持用螺子孔３２９を設けた。保持部３２８は設けた支持棒３２５で支持する。支持棒３２５は、左右に傾くように保持固定部３２６を設けた。傾きの位置を設けた保持部固定螺子３２７で固定する構成のマウント固定台である。
【発明の効果】
【００２０】  以下の説明から明らかなように、本発明にあっては次に列挙する効果が得られる。【００２１】  本発明は、歯科医或いは主に技工士による補綴物の製作において、患者を計測採得した歯科用咬合ナビ装置を咬合器の下弓先端部に固定するマウント固定台を設けた。該マウント固定台は、歯科用咬合ナビ装置に設けた固定部と螺合して保持固定する保持棒を設けた。該固定部は、正中線を支持する正中線支持用固定孔と、正中線支持部用固定螺子と、垂直方向に螺合する固定用螺子孔と、水平方向に保持棒と螺合する固定用螺子孔を設けた。咬合器の下弓後方部に固定して設けた上弓支持台は、咬合器の上弓と歯科用咬合ナビ装置のバイトフォークを支持して設けた。該上弓支持台は設けた上弓を支持する上弓支持棒と、上弓支持アームと、バイトフォークを支持するバイトフォークサポートと、バイトフォークサポートアームとで構成している補綴物製作装置であるので、患者の審美的ポイントと基準点を歯科医と技工士が共通の観点として補綴物の製作ができるので歯科医と技工士も助かり、患者へ提供される補綴物の苦情は解消すると共に、患者の基準点は正確で、その上患者の審美的ポイントまで配慮して製作することが出来るので完成した補綴物を入れた患者は、噛合いのすばらしさと、歯と口元の美しさが顔面全体を美しく仕上げることになる。【００２２】  また、請求項２記載の発明では、請求項１記載の補綴物製作装置であって、前記記載の補綴物製作装置を構成している歯科用咬合ナビ装置は、熟練を必要としない小型軽量で短時間に患者顔面の審美的ポイントと基準ポイントの計測採得をする歯科用咬合ナビ装置である。患者を計測採得する各計測用部品は、患者の口腔内で噛んで咬合平面歯型を計測採得するバイトフォークと、カンペル平面を計測採得する左右の耳まで伸ばすカンペル設定ワイヤと、眼窩点の一点を計測採得する眼窩点指示ピン等の各計測用部品を設けた支持台に配置した。支持台の内部は、正中線を計測採得のとき移動できる移動台を設けた。該移動台に固定部を固着して設けた。該固定部は、正中線支持部用固定孔と、垂直方向に螺合する固定用螺子孔と、水平方向に螺合する固定用螺子孔と、正中線支持部用螺子を設けた。支持台内部の移動台が移動した位置を検知する支持台に目盛と、移動台に目盛を設けた。計測採得が完了した移動台の位置を保持固定する螺子を両側に設けた。正中線を計測採得する正中線指示ロッドと、正中線指示ロッドの上方に設けたフランクフルト平面を計測採得するフランクフルト指示ロッドと、咬合平面を計測採得する咬合平面指示ロッド等を設けた各計測用部品を固定部に配置した。該咬合平面指示ロッドを支える咬合平面保持部と、該咬合平面保持部を支持する正中線支持部は、正中線支持柱を挿入して支持して螺子で固定して設けた。該正中線支持柱は正中線支持部用固定孔と、正中線支持部用螺子で固定支持した構成の歯科用咬合ナビ装置であるので、歯科用咬合ナビ装置を簡単にマウント固定台に保持できるため補綴物の製作において、技工士は歯科医の指示通り歯科用咬合ナビ装置の位置を咬合器上に正確に固定することができる。このことは補綴物の製作に大変に重要なことであって、咬合器に固定された状態で歯科医と同じ基準の位置に技工士が歯科用咬合ナビ装置の位置を微調整できるので正確に補綴物の製作が出来る。【００２３】また、請求項３記載の発明では、請求項１と２記載の補綴物製作装置であって、前記記載の補綴物製作装置を構成しているマウント固定台は、咬合器の下弓先端部に固定して歯科用咬合ナビ装置を保持棒で支持固定する。該マウント固定台は、咬合器の下弓先端部に固定して設けた下弓先端部固定台と、螺子で挟んで固定した。該下弓先端部固定台をくり抜き移動孔を設けた。設けた支持棒と螺子は、移動孔を通して垂直方向に固定した。歯科用咬合ナビ装置の固定用螺合孔と螺合固定する保持棒を設けた。垂直方向を向いた支持棒と、水平方向を向いた保持棒を設けた支持棒保持部と保持棒保持部と螺子で螺合固定した。移動孔に固定した支持棒を左右に移動するときは、支持棒に螺合した螺子を緩めて位置を調整する。保持棒の移動は、支持棒保持部と保持棒保持部を固定している螺子緩めて調整するように設けた構成のマウント固定台であるので、歯科用咬合ナビ装置を咬合器に固定したマウント固定台の保持棒で保持できて、保持棒を前後に移動できること、支持棒を左右に移動できることによって簡単に歯科用咬合ナビ装置を咬合器の必要とする位置に調整が出来る。咬合器にマウント固定台を固定して保持した歯科用咬合ナビ装置を技工士がマウント固定台を調整して歯科医が患者を計測採得した状態に再現できるので最適な補綴物の製作が出来る。また、垂直方向に螺合する支持棒と垂直方向に螺合する固定用螺子孔を用いて歯科用咬合ナビ装置を保持固定できる。【００２４】また、請求項４記載の発明では、請求項１〜３記載の補綴物製作装置であって、補綴物製作装置を構成している上弓支持台は、咬合器の下弓後方部に固定する。咬合器の下弓先端部に固定したマウント固定台で保持固定した歯科用咬合ナビ装置のバイトフォークと、咬合器の上弓とを支持する。該上弓支持台は設けた上弓支持台固定部と螺子とで咬合器の下弓後方部を挟んで螺子で固定する。該上弓支持台固定部に設けた固定部支持柱は咬合器の後方部より外側に配置した。該固定部支持柱は、歯科用咬合ナビ装置のバイトフォークを支えるバイトフォークサポートと、咬合器の上弓を支える上弓支持棒を設けた。バイトフォークサポートは、左に傾斜させると左に、右に傾斜させると右に傾斜する状態で中心を保持され、バイトフォークサポートの中心を保持したバイトフォークサポートアームは固定部支持柱をくり抜いた支持孔を通して螺子で固定して設けた。上弓支持アームの先端で上下移動する上弓支持棒は螺子で固定して設けた。上弓支持アームの後方部をくり抜いて位置移動を可能にした上弓支持アーム孔を設けた。上弓支持アームは上弓支持アーム孔に螺子を通して固定部支持柱に固定して設けた構成の上弓支持台であるので、歯科用咬合ナビ装置のバイトフォークと、咬合器の上弓を支持できるので、歯科用咬合ナビ装置のバイトフォークを傾きの通りに設けた上弓支持台のバイトフォークサポートは支える。咬合器の上弓を支持するものが無ければ下方に傾いて補綴物の製作はできないが設けた上弓支持台の上弓支持棒が上弓を支持して持ち上げるので補綴物の製作が正しく行える。上弓支持台は目立たない存在であるが歯科用咬合ナビ装置と咬合器の性能を発揮させる為には必要な存在である。【００２５】  また、請求項５記載の発明では、請求項１〜３記載の補綴物製作装置であって、前記記載の補綴物製作装置を構成しているマウント固定台は、咬合器の下弓先端部に設けたレール台を固定した。該レール台を使用して移動できる下弓先端部固定台を設けた。該下弓先端部固定台は側面に設けた螺子孔と螺子で固定する構成のマウント固定台であるので、咬合器の下弓先端部にレール台設けたので、下弓先端部固定台の微細な前後の移動、即ちマウント固定台の前後の微細な移動が滑るようにできる。【００２６】  また、請求項６記載の発明では、請求項１〜３と５記載の補綴物製作装置であって、前記記載の補綴物製作装置を構成しているマウント固定台は、下弓先端部固定台の上部に保持棒を保持する円筒状の保持棒保持部を設けた。該保持棒保持部１は、円筒に切れ目を入れた円筒状の筒に保持棒を保持する球体を入れ球体に円柱を固着して設けた。該円柱は、保持棒を保持する保持用孔を設けて、保持用孔を通した保持棒を設けた螺子で固定する。球体を入れた円筒を設けたハンドルで絞ることで円柱を固定する構成のマウント固定台であるので、マウント固定台を用いて歯科用咬合ナビ装置を咬合器に固定する方法の一つである。【００２７】  また、請求項７記載の発明では、請求項１〜３と５〜６記載の補綴物製作装置であって、前記記載の補綴物製作装置を構成しているマウント固定台は、下弓先端部固定台の上部に歯科用咬合ナビ装置の垂直方向に螺合する固定用螺子孔と螺合する保持棒を設けた。該保持棒は、箱に球体を入れ球体に保持棒を固着して設けた。保持棒の位置は設けた螺子で固定する構成のマウント固定台であるので、マウント固定台を用いて歯科用咬合ナビ装置を咬合器に固定する方法の一つである。【００２８】  また、請求項８記載の発明では、請求項１〜３記載の補綴物製作装置であって、前記記載の補綴物製作装置を構成しているマウント固定台３００は、歯科用咬合ナビ装置１００を咬合器上弓のインサイザルピン孔を用いて上方から歯科用咬合ナビ装置１００に設けた固定部８４１の両側を吊り上げ保持する保持部３２８と、該保持部３２８の両側に保持用螺子孔３２９を設けた。保持部３２８は設けた支持棒３２５で支持する。支持棒３２５は、左右に傾くように保持固定部３２６を設けた。傾きの位置を設けた保持部固定螺子３２７で固定する構成のマウント固定台であるので、マウント固定台を用いて歯科用咬合ナビ装置を咬合器に固定する方法の一つである。
【発明を実施するための最良の形態】
【００２９】以下、図面に示す実施するための最良の形態により、本発明を詳細に説明する。【００３０】  図１、３、５、６ないし７、９ないし１２に示す本発明の第１の実施するための最良の第１の形態において、図１は、本発明の補綴物製作装置の一部を切り欠いだ斜視図を示した図である。
図１は、歯科医或いは主に技工士による補綴物の製作において、患者を計測採得した歯科用咬合ナビ装置１００を咬合器の下弓先端部９８に固定するマウント固定台３００を設けた。該マウント固定台３００は、歯科用咬合ナビ装置１００に設けた固定部４０１と螺合して保持固定する保持棒３２０を設けた。該固定部４０１は、正中線を支持する正中線支持用固定孔４０２と、正中線支持部用固定螺子４０５と、垂直方向に螺合する固定用螺子孔４０３と、水平方向に保持棒３２０と螺合した固定用螺子孔４０４を設けた。咬合器の下弓後方部９６に固定して設けた上弓支持台２００は、咬合器の上弓９１と歯科用咬合ナビ装置のバイトフォーク７２０を支持して設けた。該上弓支持台２００は設けた上弓９１を支持する上弓支持棒２９９と、上弓支持アーム２９７と、バイトフォーク７２０を支持するバイトフォークサポート２７２と、バイトフォークサポートアーム２７３とで構成している補綴物製作装置である。【００３１】図３は、本発明の補綴物製作装置を構成する歯科用咬合ナビ装置の斜視図を示した図である。
補綴物製作装置であって、前記記載の補綴物製作装置を構成している歯科用咬合ナビ装置１００は、熟練を必要としない小型軽量で短時間に患者顔面の審美的ポイントと基準ポイントの計測採得をする歯科用咬合ナビ装置１００である。患者を計測採得する各計測用部品は、患者の口腔内で噛んで咬合平面歯型を計測採得するバイトフォーク７２０と、カンペル（Ｃａｍｐｅｒ）平面を計測採得する左右の耳まで伸ばすカンペル設定ワイヤ５１と、眼窩点の一点を計測採得する眼窩点指示ピン６１０等の各計測用部品を設けた支持台８００に配置した。支持台８００の内部は、正中線を計測採得のとき移動できる移動台４００を設けた。該移動台４００に固定部４０１を固着して設けた。該固定部４０１は、正中線支持部用固定孔４０２と、垂直方向に螺合する固定用螺子孔４０３と、水平方向に螺合する固定用螺子孔４０４と、正中線支持部用螺子４０５を設けた。支持台８００内部の移動台４００が移動した位置を検知する支持台８００に目盛８４と、移動台４００に目盛８５を設けた。計測採得が完了した移動台４００の位置を保持固定する螺子８２０を両側に設けた。正中線を計測採得する正中線指示ロッド（ｒｏｄ）３０と、正中線指示ロッド３０の上方に設けたフランクフルト平面を計測採得するフランクフルト指示ロッド４２０と、咬合平面を計測採得する咬合平面指示ロッド４３等を設けた各計測用部品を固定部４０１に配置した。該咬合平面指示ロッド４３を支える咬合平面保持部４３０と、該咬合平面保持部４３０を支持する正中線支持部６２４は、正中線支持柱３１を挿入して支持して螺子で固定して設けた。該正中線支持柱３１は正中線支持部用固定孔４０２と、正中線支持部用螺子４０５で固定支持した構成の歯科用咬合ナビ装置である。【００３２】  図５は、本発明の補綴物製作装置を構成する歯科用咬合ナビ装置の支持台内部の斜視図を示した図である。
補綴物製作装置であって、前記記載の補綴物製作装置を構成する歯科用咬合ナビ装置の支持台８００の内部構造を示す。支持台８００に螺子で固定できるバイトフォーク７２０と、支持台８００は横の方向から歯科用咬合ナビ装置１００を保持できる保持用螺子孔１４０を設けた。支持台８００の裏面片側には目盛８４を設けた。支持台８００の内部に設けた移動台４００と固定部４０１を固着して設けた。移動台４００には移動の位置が支持台８００の片側の目盛８４と対比する一本以上の目盛８５を設けた。患者を計測採得するとき正中線を患者の顔面の正中線と一致するよう固定部４０１を移動するので固定部４０１と固定した移動台４００は同様に移動する。移動した位置を保持するために両側に設けた螺子８２０で固定する。該固定した目盛８４と、目盛８５を歯科医は確認する。歯科用咬合ナビ装置１００を技工士へ渡すとき、物流で位置の変動が生じても目盛８４と、目盛８５を確認できているので歯科医と技工士が連絡を取り位置の変動は防止できる。
該固定部４０１は、正中線を計測採得する正中線指示ロッド３０と、正中線指示ロッドの上方に設けたフランクフルト平面を計測採得するフランクフルト指示ロッド４２０と、咬合平面を計測採得する咬合平面指示ロッド４３とを支える咬合平面保持部４３０と、正中線支持部６２４を支持固定する正中線支持部用固定孔４０２と、正中線支持部６２４を固定する正中線支持部用螺子４０５と、垂直方向に螺合する固定用螺子孔４０３と、水平方向に螺合する固定用螺子孔４０４とを設けた構成の歯科用咬合ナビ装置の支持台である。【００３３】  図６は、本発明の補綴物製作装置を構成する歯科用咬合ナビ装置の支持台表面の斜視図を示した図である。
補綴物製作装置であって、前記記載の補綴物製作装置を構成する歯科用咬合ナビ装置の支持台８００の表面は、バイフォーク７２０を支持台８００に装着した。支持台８００の横方向から歯科用咬合ナビ装置を保持する保持用螺子孔１４０を設けた。計測採得のとき支持台８００内部を滑って移動した移動台４００を固定する螺子８２０を両側に設けた。
支持台８００は、螺合支持できるカンペル設定ワイヤ保持部用螺子孔５４５と、螺合支持する眼窩点指示ピン支持部用螺子孔６２０を設けた。支持台８００の内部で移動台４００と固着している固定部４０１は、正中線支持棒３１を支持固定する正中線支持部用固定孔４０２と、該正中線支持部用固定孔４０２に正中線支持棒３１を挿入して固定する正中線支持棒固定螺子４０５と、垂直方向に螺合して固定保持できる固定用螺子孔４０３と、水平方向に螺合して固定保持できる固定用螺子孔４０４を設けた構成の歯科用咬合ナビ装置の支持台である。【００３４】  図７は、本発明の補綴物製作装置を構成する歯科用咬合ナビ装置の計測部品である正中線指示ロッドとフランクフルト指示ロッドと咬合平面指示ロッドの斜視図を示した図である。
補綴物製作装置であって、前記記載の補綴物製作装置を構成する歯科用咬合ナビ装置の計測部品である正中線を計測採得する正中線指示ロッド３０と、正中線指示ロッド３０の上方に設けたフランクフルト平面を計測採得するフランクフルト指示ロッド４２０と、咬合平面を計測採得する咬合平面指示ロッド４３を支える咬合平面保持部４３０と、該咬合平面保持部４３０を支持する正中線支持部６２４に正中線支持柱３１を挿入して支持して螺子で固定して設けた。該正中線支持柱３１は正中線支持部用固定孔４０２と、正中線支持部用螺子４０５で固定支持した構成の歯科用咬合ナビ装置の計測部品である。【００３５】  図９は、本発明の補綴物製作装置を構成するマウント固定台の下弓先端部固定台の斜視図を示した図である。
補綴物製作装置であって、前記記載の補綴物製作装置を構成するマウント固定台３００の土台となる下弓先端部固定台３１０は、咬合器の下弓先端部９８に固定する下弓先端部固定台３１０を設けた。該下弓先端部固定台３１０は、咬合器の下弓先端部９８を下弓先端部固定台３１０と螺子３０９で挟んで螺合固定した。下弓先端部固定台３０９に移動孔３１９を設けた。【００３６】  図１０は、本発明の補綴物製作装置を構成するマウント固定台の斜視図を示した図である。
補綴物製作装置であって、前記記載の補綴物製作装置を構成しているマウント固定台３００は、咬合器の下弓先端部９８に固定して歯科用咬合ナビ装置１００を保持棒３２０で保持固定する。該マウント固定台３００は、咬合器の下弓先端部９８に固定して設けた下弓先端部固定台３１０と、螺子３０９で挟んで固定した。該下弓先端部固定台３１０をくり抜き移動孔３１９を設けた。設けた支持棒３１２と螺子３１８は、移動孔３１９を通して垂直方向に固定した。歯科用咬合ナビ装置１００の固定用螺子孔４０４と螺合固定する保持棒３２０を設けた。設けた垂直方向を向いた支持棒３１２と、水平方向を向いた保持棒３２０を支持棒保持部３１７と保持棒保持部３１５と螺子３１６で螺合固定した。移動孔３１９に固定した支持棒３１２を左右に移動するときは、支持棒３１２に螺合した螺子３１８を緩めて位置を調整する。保持棒３２０の移動は、支持棒保持部３１７と保持棒保持部３１５を固定している螺子３１６緩めて調整する。歯科用咬合ナビ装置１００の固定台４０１を移動するときは、移動孔３１９に固定した支持棒３１２の螺子３１８を緩める。
歯科用咬合ナビ装置１００の前後移動は、固定台４０１の保持棒３２０を固定している螺子３１６を緩める構成のマウント固定台である。【００３７】  図１１は、本発明の補綴物製作装置を構成している上弓支持台の斜視図を示した図である。
補綴物製作装置であって、補綴物製作装置を構成している上弓支持台２００は、咬合器の下弓後方部９６に固定する。咬合器の下弓先端部９８に固定したマウント固定台３００で保持固定した歯科用咬合ナビ装置１００のバイトフォーク７２０と、咬合器の上弓９１とを支持する。該上弓支持台２００は設けた上弓支持台固定部２０１と螺子２０２とで咬合器の下弓後方部９６を挟んで螺子２０２で固定する。該上弓支持台固定部２０１に設けた固定部支持柱２０３は咬合器の後方部９６より外側に配置した。該固定部支持柱２０３は、歯科用咬合ナビ装置１００のバイトフォーク７２０を支えるバイトフォークサポート２７２と、咬合器の上弓９１を支える上弓支持棒２９９を設けた。バイトフォークサポート２７２は、左に傾斜させると左に、右に傾斜させると右に傾斜する状態で中心を保持され、バイトフォークサポート２７２の中心を保持したバイトフォークサポートアーム２７３は固定部支持柱２０３をくり抜いた支持孔２０５を通して螺子２０４で固定して設けた。上弓支持アーム２９７の先端で上下移動する上弓支持棒２９９は螺子２９８で固定して設けた。上弓支持アーム２９７の後方部をくり抜いて位置移動を可能にした上弓支持アーム孔２９５を設けた。上弓支持アーム２９７は上弓支持アーム孔２９５に螺子２９６を通して固定部支持柱２０３に固定して設けた構成の上弓支持台である。【００３８】  図１２は、本発明の補綴物製作装置を構成している上弓支持台を咬合器に固定した斜視図を示した図である。
上記記載の補綴物製作装置を構成している上弓支持台２００は、咬合器の後方部９６に上弓支持台固定部２０１を挟み込み螺子２０２で固定している。上弓支持台固定部２０１は、固定部支持柱２０３に歯科用咬合ナビ装置１００のバイトフォーク７２０を支えるバイトフォークサポート２７２がある。該バイトフォークサポート２７２の中心を保持したバイトフォークサポートアーム２７３は上弓支持台固定部２０１の固定部支持柱２０３に螺子２０４で固定した。上弓支持棒２９９は上下移動をする。上弓９１を支持するに必要な位置に上弓支持アーム２９７を螺子２９６で固定した。該上弓支持アーム孔２９５は、上弓支持アーム２９７を必要な位置に螺子２９６で固定した。上弓９１を支持する位置で上弓支持棒２９９を螺子２９８で固定した。上弓支持アーム２９７の支持する位置を螺子２９６で固定する。バイトフォークサポート２７２と、上弓支持棒２９９の操作は、固定部支持柱２０３が咬合器の下弓後方部９６より外部に出ているため操作が容易である。【００３９】  ｛発明を実施するための異なる形態｝【００４０】  次に、図４と、図８と、図１３ないし図２８に示す本発明を実施するための異なる形態につき説明する。なお、これらの本発明を実施するための異なる形態の説明に当たって、前記本発明を実施するための最良の第１の実施の形態と同一構成部分には、同一符号を付して重複する説明を省略する。
【実施例２】
【００４１】  図１３と図１４の本発明の第２の実施の形態において前記本発明の第１の実施の形態と主に異なる点は、補綴物製作装置であって、前記記載の補綴物製作装置を構成するマウント固定台３００は、上部に配置した保持棒３２０等の用途作用は変わらず。咬合器の下弓先端部９８にレール台３０８を固定して設けた。該下弓先端部固定台３１０に螺子孔３０６と螺子３０７を設けた。必要な位置に螺子３０７で固定する。【００４２】  図１３は、補綴物製作装置を構成しているマウント固定台の下弓先端部固定台を示した斜視図である。
マウント固定台３００の下弓先端部固定台３１０は、咬合器の下弓先端部９８と固定できるレール台３０８を設けた。該レール台３０８を滑走して移動できる下弓先端部固定台３１０を設けた。該下弓先端部固定台３１０の側面に螺子孔３０６を設けた。【００４３】  図１４は、補綴物製作装置を構成しているマウント固定台を示した斜視図である。
上記記載の下弓先端部固定台３１０の上部に歯科用咬合ナビ装置１００の固定用螺子孔４０４と螺合して保持固定する保持棒３２０を設けた。該レール台３０８を使用して移動できる下弓先端部固定台３１０を設けたマウント固定台３００は、下弓先端部固定台３１０の側面の螺子孔３０６と螺合して指定した位置に固定する螺子３０７を設けた構成のマウント固定台である。
【実施例３】
【００４４】  図１５と図１６の本発明の第３の実施の形態において前記本発明の第１の実施の形態と主に異なる点は、補綴物製作装置であって、前記記載の補綴物製作装置を構成する上弓支持台２００の作用効果はかわらず。上弓支持台固定部２０１の面積が小さく、固定部支持柱２０３の位置は上弓支持台固定部２０１の前方に設けた。上弓支持台固定部２０１の固定部支持柱２０３を咬合器の内側に位置して設けた。固定部支持柱２０３の位置が異なるので上弓支持台固定部２０１の後部が咬合器より大幅に外側に出ない形状である。【００４５】  図１５は、補綴物製作装置を構成している上弓支持台を示した斜視図である。
前記上弓支持台２００は、該上弓支持台固定部２０１に設けた固定部支持柱２０３を咬合器の内側に位置するように設けた。他バイトフォークサポート２７２と、上弓支持棒２９９等の作用効果は変わらない。【００４６】  図１６は、補綴物製作装置を構成している上弓支持台を咬合器に固定して咬合器の一部を切り欠いだ斜視図を示した図である。
前記記載の上弓支持台２００を咬合器に固定した。咬合器の一部を切り欠き咬合器の上弓を上方へ開いた斜視図である。上弓支持台２００は、該上弓支持台固定部２０１に設けた固定部支持柱２０３を咬合器内側に位置して設けた。
【実施例４】
【００４７】  図４と図８の本発明の第４の実施の形態において前記本発明の第１の実施の形態と主に異なる点は、補綴物製作装置であって、前記記載の補綴物製作装置を構成する歯科用咬合ナビ装置の計測部品である形状の異なる正中線指示ロッドと、フランクフルト指示ロッドと、咬合平面指示ロッドと、それを使用した補綴物製作装置である。【００４８】  図８は、補綴物製作装置を構成する歯科用咬合ナビ装置の計測部品である形状の異なる正中線指示ロッドと、フランクフルト指示ロッドと、咬合平面指示ロッドの斜視図を示した図である。
前記正中線を計測採得する正中線指示ロッド３０は、咬合平面を計測採得する咬合平面指示ロッド４３を支える咬合平面保持部４３０に螺子止め支持して設けた。フランクフルト平面を計測採得するフランクフルト指示ロッド４２０は、フランクフルト指示ロッド支持部３８１に固着して設けた。該フランクフルト指示ロッド支持部３８１の内部にＯリングを設けた。フランクフルト平面を計測採得するときは、正中線指示ロッド３０をフランクフルト指示ロッド支持部３８１に挿入する構成である。【００４９】  図４は、補綴物製作装置を構成する歯科用咬合ナビ装置の異なる形状をした計測部品と、上弓支持台を用いた補綴物製作装置の斜視図を示した図である。
補綴物を製作するため咬合器にマウント固定台３００を固定して、マウント固定台３００は歯科用咬合ナビ装置１００を保持した。歯科用咬合ナビ装置１００のバイトフォーク７２０と、咬合器の上弓９１を支持する上弓支持台２００を固定した。前記の歯科用咬合ナビ装置１００の計測部品である形状の異なる正中線指示ロッド３０と、咬合平面指示ロッド４３を保持する咬合平面保持部４３０と、フランクフルト指示ロッド４２０を支持するフランクフルト指示ロッド支持部３８１と、正中線支持部６２４と、正中線支持部６２４を支持した正中線支持棒３１とを正中線支持部用固定孔４０２に挿入して螺子４０５で固定して設けた補綴物製作装置の構成である。
【実施例５】
【００５０】  図１７ないし図２２の本発明の第５の実施の形態において前記本発明の第１の実施の形態と主に異なる点は、補綴物製作装置であって、前記記載の補綴物製作装置を構成する歯科用咬合ナビ装置１００の支持台８００に設けた固定部４０１の形状と、保持用螺合孔４０４の孔の位置と、保持棒３２０の形状と、マウント固定台３００の形状が異なる。【００５１】  図１７は、補綴物製作装置を構成する歯科用咬合ナビ装置の支持台の斜視図を示した図である。
補綴物製作装置であって、前記本発明の第１の実施の形態と主に異なる点は、前記記載の補綴物製作装置を構成する歯科用咬合ナビ装置１００の支持台８００に設けた固定台４０１の形状と、保持用螺合孔４０４の孔の位置が異なる。該支持台８００を保持する保持用螺子孔４０４を支持台８００の側面に設けた。固定台４０１は、正中線支持棒用固定孔４０２と、正中線支持棒固定螺子４０５を設けた。固定台４０１は左右に傾けられる構成である。【００５２】  図１８は、補綴物製作装置を構成する歯科用咬合ナビ装置の支持台に形状の異なる支持棒を螺合した斜視図を示した図である。
前記本発明の第１の実施の形態と異なる主な点は上記記載の支持台８００に設けた保持用螺子孔４０４に形状の異なる保持棒３２０を螺合した。
参考までに固定台４０１に正中線等を計測採得する計測部品を固定支持した図を示す。
正中線指示ロッド３０と、正中線指示ロッド３０の上方に設けたフランクフルト平面を計測採得するフランクフルト指示ロッド４２０と、咬合平面を計測採得する咬合平面指示ロッド４３等を設けた各計測用部品を固定部４０１に配置した。該咬合平面指示ロッド４３を支える咬合平面保持部４３０と、該咬合平面保持部４３０を支持する正中線支持部６２４は、正中線支持柱３１を挿入して支持して螺子で固定して設けた。該正中線支持柱３１は正中線支持部用固定孔４０２と、正中線支持部用螺子４０５で固定支持した構成である。【００５３】  図１９は、補綴物製作装置を構成しているマウント固定台の下弓先端部固定台を示した斜視図である。
前記本発明の第１の実施の形態と異なる主な点は形状の異なるマウント固定台３００の下弓先端部固定台３１０である。
咬合器の下弓先端部９８と固定するレール台３０８を設けた。該レール台３０８を滑走して移動できる下弓先端部固定台３１０を設けた。該下弓先端部固定台３１０に螺子孔３０６と螺子３０７を設けた構成の下弓先端部固定台である。【００５４】  図２０は、補綴物製作装置を構成している保持棒保持部を装着したマウント固定台を示した斜視図である。
前記本発明の第１の実施の形態と異なる主な点はマウント固定台３００に設けた形状の異なる保持棒保持部３２１と下弓先端部固定台３１０である。前記記載の下弓先端部固定台３１０に保持棒３２０を保持する円筒状の保持棒保持部３２１を設けた。該円筒状の保持棒保持部３２１は、円筒に切れ目を入れた円筒状の筒である。円筒状内部の球体に円柱３２２を固着して設けて、保持棒３２０を保持する。該円柱３２２は、保持棒３２０を保持する保持用孔を設けて、保持用孔を通した保持棒３２０を螺子３２４で固定する。円筒状の筒の中に設けた球体を入れた円筒を絞ることで円柱３２２は固定するハンドル３２３を設けた構成のマウント固定台である。【００５５】  図２１は、補綴物製作装置を構成しているマウント固定台を用いて歯科用咬合ナビ装置を支持した状態を示した斜視図である。
歯科用咬合ナビ装置１００の支持台８００に設けた保持用螺子孔４０４と螺合した保持棒３２０を、マウント固定台３００の円柱３２２の保持用孔を通して螺子３２４で固定保持した構成の歯科用咬合ナビ装置とマウント固定台である。【００５６】  図２２は、図２１を用いた補綴物製作装置を示した斜視図である。
（図２２は、説明のために咬合器の一部を切り欠いた斜視図を示した。）
補綴物を製作するため咬合器にマウント固定台３００を固定して、マウント固定台３００は歯科用咬合ナビ装置１００を保持した。図２０の円筒状の保持棒保持部３２１を装着したマウント固定台３００を用いて歯科用咬合ナビ装１００を保持固定した構成の補綴物製作装置である。
【実施例６】
【００５７】  図２３と図２４の本発明の第６の実施の形態において前記本発明の第１の実施の形態と主に異なる点は、補綴物製作装置であって、前記記載の補綴物製作装置を構成する歯科用咬合ナビ装置１００の固定部４０１の固定用螺子孔４０３を球体に円柱を設けた垂直方向を向いた保持棒３２０で螺合して保持保持するマウント固定台３００である。【００５８】  図２３は、補綴物製作装置を構成しているマウント固定台を示した斜視図である。
マウント固定台３００は、咬合器の下弓先端部９８と固定するレール台３０８を設けた。
該レール台３０８を滑走して移動する下弓先端部固定台３１０を設けた。
該下弓先端部固定台３１０に螺子孔３０６と螺子３０７を設けた。歯科用咬合ナビ装置１００の固定部４０１の垂直方向に螺合する固定用螺子孔４０３と螺合する保持棒３２０を設けた。保持棒３２０はジョイステックのように自在に方向を転換する。保持棒３２０の位置を螺子３１１で固定するマウント固定台である。【００５９】  図２４は、図２３を用いた補綴物製作装置を示した斜視図である。
（図２４は、説明のために咬合器の一部を切り欠いた斜視図を示した。）
補綴物を製作するため咬合器に図２３を用いたマウント固定台３００を固定した。該マウント固定台３００は歯科用咬合ナビ装置１００を保持棒３２０で保持した。歯科用咬合ナビ装置１００のバイトフォーク７２０と、咬合器の上弓９１を上弓支持棒２９９で支持する上弓支持台２００を固定した。保持棒３２０はジョイステックのように自在に方向を転換する。保持棒３２０の位置を螺子３１１で固定する。前記の歯科用咬合ナビ装置１００の計測部品である正中線指示ロッド３０と、咬合平面指示ロッド４３を保持する咬合平面保持部４３０と、該咬合平面保持部４３０を支持する正中線支持部６２４は、正中線支持柱３１を挿入して支持して螺子で固定して設けた。該正中線支持柱３１は正中線支持部用固定孔４０２と、正中線支持部用螺子４０５で固定支持した構成の補綴物製作装置である。
【実施例７】
【００６０】  図２５ないし図２８の本発明の第７の実施の形態において前記本発明の第１の実施の形態と主に異なる点は補綴物製作装置であって、前記記載の補綴物製作装置を構成する歯科用咬合ナビ装置１００の裏面を使用して上方からマウント固定台３００を保持する。該マウント固定台は、咬合器の上弓のインサイザルピン孔を用いて固定する。【００６１】  図２５は、補綴物製作装置を構成する歯科用咬合ナビ装置の斜視図を示した図である。
歯科用咬合ナビ装置１００の目盛を直接確認するため裏面にして使用した。歯科用咬合ナビ装置１００の支持台８００を保持する固定部８４１を両側に設けた。固定部８４１を固定する螺子８２１を設けた。【００６２】  図２６は、補綴物製作装置を構成する歯科用咬合ナビ装置を上方から保持するマウント固定台の斜視図を示した図である。
咬合器上弓のインサイザルピン孔を用いて上方から歯科用咬合ナビ装置１００を保持固定するマウント固定台３００は、歯科用咬合ナビ装置１００の固定部８４１の両側を吊り上げ保持する保持部３２８と、該保持部３２８の両側に保持用螺子孔３２９を設けた。
保持部３２８は設けた支持棒３２５で支持した。支持棒３２５は、左右に傾くように保持固定部３２６を設けた。位置の固定は設けた保持部固定螺子３２７で固定する構成のマウント固定台である。【００６３】  図２７は、歯科用咬合ナビ装置を保持したマウント固定台の斜視図を示した図である。
歯科用咬合ナビ装置１００を上方から保持したマウント固定台３００である。
マウント固定台３００に設けた保持部３２８と、保持用螺子孔３２９とを用いて、歯科用咬合ナビ装置１００の支持台８００に設けた螺子８２１とで固定した。歯科用咬合ナビ装置１００の固定部４０１で支持する計測部品は図面では省略した。【００６４】  図２８は、マウント固定台を咬合器に固定して、マウント固定台に歯科用咬合ナビ装置を固定した補綴物製作装置の側面図を示した図である。
補綴物製作装置は、マウント固定台３００を咬合器に固定して、マウント固定台３００に歯科用咬合ナビ装置１００を固定した。歯科用咬合ナビ装置１００のバイトフォーク７２０と、咬合器の上弓９１は咬合器に固定して設けた上弓固定台２００のバイトフォークサポート２７２と、上弓支持棒２９９で支持した構成の補綴物製作装置である。【００６５】  上記記載の補綴物製作装置側面図（図２８）の符号の説明をする。歯科用咬合ナビ装置１００の計測部品は、正中線指示ロッド３０と、咬合平面指示ロッド４３と、正中線支持部６２４と、咬合平面保持部４３０と、正中線支持柱３１と、バイトフォーク７２０と、支持台８００は、移動支持台４００と固着した固定部４０１と、移動支持台４００を固定する螺子８２０と、マウント固定台３００の保持部３２８と支持台８００を固定する螺子８２１と、マウント固定台３００は、保持部３２８と、支持棒３２５と、保持部固定部３２６と、咬合器は、上弓９１と、下弓９２と、マウンテンリング９４と、下弓先端部９８と、上弓固定台２００は、バイトフォークサポート２７２と、バイトフォークサポートアーム２７３と、上弓支持棒２９９と、上弓支持アーム２９７と、固定部支持柱２０３と、上弓支持台固定部２０１である。支持棒３２５は咬合器の上弓９１にあるインサイザルピン固定用螺子で固定した。【００６６】  補綴物製作装置を構成している歯科用咬合ナビ装置１００の部材は、軽量であることが望まれる。アルミニュウム合金あるいはチタン合金または、強度の強いプラスチックを使用する。カンペル設定ワイヤ５１の部材は、金属の細線を縒って紐状にしたワイヤあるいはテグスなどを使用する。【００６７】  院内感染予防として、患者の唾液・汗・体液が付着するバイトホーク７２０と、カンペル設定ワイヤ５１等は患者が替わるごと交換して医療廃棄を行う。
【産業上の利用可能性】
【００６８】  本発明は、補綴物製作装置を製造、販売する産業で利用され、また歯科医や技工士等で使用される。
【図面の簡単な説明】
【００６９】
【図１】本発明を実施するための最良の第１の形態の補綴物製作装置の斜視図。
【図２】従来の咬合器の斜視図を示す。
【図３】本発明を実施するための最良の第１の形態の歯科用咬合ナビ装置の斜視図。
【図４】本発明を実施するための最良の第４の形態の補綴物製作装置の斜視図。
【図５】本発明を実施するための最良の第１の形態の歯科用咬合ナビ装置の支持台内部の斜視図。
【図６】本発明を実施するための最良の第１の形態の歯科用咬合ナビ装置の支持台表面の斜視図。
【図７】本発明を実施するための最良の第１の形態の歯科用咬合ナビ装置の計測部品である正中線指示ロッドと、フランクフルト指示ロッドと、咬合平面指示ロッドとの斜視図。
【図８】本発明を実施するための最良の第４の形態の歯科用咬合ナビ装置の計測部品である正中線指示ロッドと、フランクフルト指示ロッドと、咬合平面指示ロッドの斜視図。
【図９】本発明を実施するための最良の第１の形態のマウント固定台の下弓先端部固定台の斜視図。
【図１０】本発明を実施するための最良の第１の形態のマウント固定台の斜視図。
【図１１】本発明を実施するための最良の第１の形態の上弓支持台の斜視図。
【図１２】本発明を実施するための最良の第１の形態の上弓支持台に咬合器を固定した斜視図。
【図１３】本発明を実施するための最良の第２の形態のマウント固定台の下弓先端部固定台の斜視図。
【図１４】本発明を実施するための最良の第２の形態のマウント固定台の斜視図。
【図１５】本発明を実施するための最良の第３の形態の上弓支持台の斜視図。
【図１６】本発明を実施するための最良の第３の形態の上弓支持台に咬合器を固定した斜視図。
【図１７】本発明を実施するための最良の第５形態の歯科用咬合ナビ装置の支持台の斜視図。
【図１８】本発明を実施するための最良の第５形態の歯科用咬合ナビ装置の支持台に支持棒を螺合した斜視図。
【図１９】本発明を実施するための最良の第５の形態のマウント固定台の下弓先端部固定台を示した斜視図。
【図２０】本発明を実施するための最良の第５の形態のマウント固定台の斜視図。
【図２１】本発明を実施するための最良の第５の形態の歯科用咬合ナビ装置の支持台とマウント固定台を組み合わせた斜視図。
【図２２】本発明を実施するための最良の第５の形態の補綴物製作装置の斜視図。
【図２３】本発明を実施するための最良の第６の形態のマウント固定台の斜視図。
【図２４】本発明を実施するための最良の第６の形態の補綴物製作装置の斜視図。
【図２５】本発明を実施するための最良の第７の形態の歯科用咬合ナビ装置の支持台の斜視図。
【図２６】本発明を実施するための最良の第７の形態のマウント固定台の斜視図。
【図２７】本発明を実施するための最良の第７の形態の歯科用咬合ナビ装置の支持台とマウント固定台を組み合わせた斜視図。
【図２８】本発明を実施するための最良の第７の形態の補綴物製作装置の側面図。
【図２９】従来の歯科用咬合ナビ装置を咬合器に固定した斜視図。
【符号の説明】
【００７０】  ３０  正中線指示ロッド
３１  正中線支持柱
４３  咬合平面指示ロッド
５１  カンペル設定ワイヤ
８４  目盛
８５  目盛
９１  上弓
９６  下弓後方部
９８  下弓先端部
１００  歯科用咬合ナビ装置
２００  上弓支持台
２０１  上弓支持台固定部
２０２  螺子
２０５  支持孔
２０３  固定部支持柱
２０４  螺子
２７２  バイトフォークサポート
２７３  バイトフォークサポートアーム
２９７  上弓支持アーム
２９５  上弓支持アーム孔
２９６  螺子
２９８  螺子
２９９  上弓支持棒
３００  マウント固定台
３０６  螺子孔
３０７  螺子
３０８  レール台
３０９  螺子
３１０  下弓先端部固定台
３１１  螺子
３１２  支持棒
３１５  保持棒保持部
３１６  螺子
３１７  支持棒保持部
３１８  螺子
３１９  移動孔
３２０  保持棒
３２１  保持棒保持部
３２２  円柱
３２３  ハンドル
３２４  螺子保持部
３２５  支持棒
３２６  保持固定部
３２７  保持部固定螺子
３２８  保持部
３２９  保持用螺子孔
４００  移動台
４０１  固定部
４０２  正中線支持用固定孔
４０３  固定用螺合孔
４０４  固定用螺子孔
４０５  正中線支持部用固定螺子
４２０  フランクフルト指示ロッド
４３０  咬合平面保持部
６１０  眼窩点指示ピン
６２４  正中線支持部
７２０  バイトフォーク
８００  支持台
８２０  螺子
８４１  固定部
【図１】
2006212364.tif 000003
【図２】
2006212364.tif 000004
【図３】
2006212364.tif 000005
【図４】
2006212364.tif 000006
【図５】
2006212364.tif 000007
【図６】
2006212364.tif 000008
【図７】
2006212364.tif 000009
【図８】
2006212364.tif 000010
【図９】
2006212364.tif 000011
【図１０】
2006212364.tif 000012
【図１１】
2006212364.tif 000013
【図１２】
2006212364.tif 000014
【図１３】
2006212364.tif 000015
【図１４】
2006212364.tif 000016
【図１５】
2006212364.tif 000017
【図１６】
2006212364.tif 000018
【図１７】
2006212364.tif 000019
【図１８】
2006212364.tif 000020
【図１９】
2006212364.tif 000021
【図２０】
2006212364.tif 000022
【図２１】
2006212364.tif 000023
【図２２】
2006212364.tif 000024
【図２３】
2006212364.tif 000025
【図２４】
2006212364.tif 000026
【図２５】
2006212364.tif 000027
【図２６】
2006212364.tif 000028
【図２７】
2006212364.tif 000029
【図２８】
2006212364.tif 000030
【図２９】
2006212364.tif 000031